(57)【要約】【課題】建物の外壁面内に隠蔽配線を行った電線を引き出すための電線挿通孔を箱本体の取付面に設けた配線孔と正確に合致させて開けることができる手段を備えた電気機器収納用箱を提供する。【解決手段】箱本体１の取付板部１１に透設した円形の配線孔１３に取り外し可能なタブ１４を設け、該タブ１４に前記円形の配線孔１３の中心を印すための印用孔１４ａを設ける。【選択図】  図１
2008017554.tif 000002
【特許請求の範囲】
【請求項１】
箱本体の取付板部に透設した円形の配線孔に取り外し可能なタブを設け、該タブに前記円形の配線孔の中心を印すための印用孔を設けたことを特徴とする電気機器収納用箱。
【発明の詳細な説明】
【技術分野】
【０００１】
本発明は、建物の外壁面に配線が露出しないように壁面内に隠蔽配線を行った電線を、壁面に開けた孔から引き出して箱本体の取付板面に設けた配線孔と合致させて箱本体内に入出線する電気機器収納用箱に関するものである。
【背景技術】
【０００２】
建物の外壁面に取り付ける計器箱等の電気機器収納用箱の箱本体内に、壁面内に隠蔽配線を行った電線を入出線するものは壁面に面する箇所に配線孔を予め設けてある（特許文献１参照）。そして、電気機器収納用箱の取付位置に合わせて配線孔と合致する隠蔽配線の引き出し用の配線挿通孔を壁面に開ける。この配線挿通孔を正確な位置に開けるため、図１８に示すように、箱本体１０１の取付面である背板部１０２に設けた電源用電線と負荷側電線とを入出線させる配線孔１０３、１０３の孔中心が判るように上下左右に刻印１０３ａを設けておき、配線孔１０３、１０３を壁面の孔開け箇所に当てて刻印１０３ａを参考にして目視により孔中心の印を付けて、ホルソーにより壁面に配線挿通孔を開けるものとしていた。
【０００３】
ところが、刻印１０３ａを参考にして付けた孔中心の印は目視によるものであるため所定の中心位置から若干のズレる場合がある。そのため、この印により開けた配線挿通孔と配線孔１０３とが合致しないため、余裕のある大きさの孔を開ける必要がある。そうすると、大きな配線挿通孔のコーキングと配線保護のために該配線挿通孔に嵌合したブッシングを電気機器収納用箱の配線孔１０３に固定する位置を補正するための作業が厄介であるという問題がある。
【０００４】
【特許文献１】特開２０００−２７０４２２公開公報
【発明の開示】
【発明が解決しようとする課題】
【０００５】
本発明は前記のような従来の問題点を解決して、建物の外壁面内に隠蔽配線を行った電線を引き出すための電線挿通孔を箱本体の取付面に設けた配線孔と正確に合致させて開けることができる手段を備えた電気機器収納用箱を提供することである。
【課題を解決するための手段】
【０００６】
本発明の電気機器収納用箱は、箱本体の取付板部に透設した円形の配線孔に取り外し可能なタブを設け、該タブに前記円形の配線孔の中心を印すための印用孔を設けたことを特徴とするものである。
【発明の効果】
【０００７】
前記した本発明の電気機器収納用箱は、電気機器収納用箱を建物の外壁面に取り付けて箱本体内に建物の外壁面内に隠蔽配線を行った電線を引き出すための電線挿通孔を外壁面に開ける場合に、壁面の取付位置に箱本体の取付板部を当接すれば、箱本体の取付板部に透設した円形の配線孔に設けたタブに配線孔の中心を印すための印用孔を設けてあるので、該印用孔から筆記具、ポンチ等で壁面に印を付ければ、円形の配線孔の中心が的確に付けられるので、その後箱本体を一旦除いて印にホルソーの先端中心を当てて孔を開ければ、箱本体の取付板部に透設した円形の配線孔と位置が合致する電線挿通孔を外壁面に開けることができるものである。
【０００８】
そして、配線孔の中心を印すための印用孔を設けたタブは、円形の配線孔に取り外し可能に設けたものであるから、孔開け後はこのタブを取り外せば、配線孔にブッシングの取り付けや配線を行うことができるものである。
【発明を実施するための最良の形態】
【０００９】
次に、本発明の好ましい実施の形態を図示の建物の外壁面に設置する積算電力計用の電気機器収納用箱に基づき説明する。
図１において、１は電気機器収納用箱の箱本体であり、該箱本体１は建物の外壁面への取付板部１１となる背板部の周縁に周枠部１２を設けたものである。前記取付板部１１の前面は上部は機器取付部１１ａに形成して、下方部には並設して２個の円形の配線孔１３、１３が透設されており、電源線と屋内配線用電線を箱本体１に入出線できるものとしている。そして、該配線孔１３、１３には取り外し可能なタブ１４が設けてあり、該タブ１４に前記円形の配線孔１３の中心を印すための印用孔１４ａが設けてある。
【００１０】
前記タブ１４は図１、図２及び図３に示すように、短冊状のタブ本体１４０の両端を円形の配線孔１３の縁部に薄肉で細幅な連結部１４１、１４１を介して連設して中央を箱本体１の背面側に窪ませて該中央に円形の配線孔１３の中心を印すための印用孔１４ａを設けたものである。印用孔１４ａを箱本体１の背面側に窪ませたタブ本体１４０の中央に形成して該中央の背面が箱本体１の周枠部１２の背面と同一面と形成して箱本体１の背面を建物の外壁面に当接させた場合に印用孔１４ａが外壁面に当接して筆記具等を傾斜させて印用孔１４ａに挿通させても外壁面に正確に円形の配線孔１３の中心を印すことができるものである。
【００１１】
２は箱本体１の前面を覆うカバーである。このカバー２は、箱本体１の周枠部１２の前方低段枠部１２ａを囲装するカバー周枠部２１の前面の中央に機器透視用の透明部２２ａを形成した前板部２２を一体に設けたものである。そして、該カバー２は図９に示すようにカバー周枠部２１の上枠板部２１１に係止爪２３、２３を設け、該係止爪２３、２３を箱本体１の周枠部１２の上枠部１２１に設けた係止孔１６、１６に係合するものとしている。また、カバー２のカバー周枠部２１の下枠板部２１２には図１３〜図１５に示すようにねじ挿通孔２１ａを設け、該ねじ挿通孔２１ａから挿通した止めねじ３を箱本体１の周枠部１２の下枠部１２２に取り付けたナット部４に螺合してカバー２は箱本体１を施蓋するものとしている。
【００１２】
また、カバー２と箱本体１の間から電気機器収納用箱内に雨水が浸入しるのを防止するため、図９〜図１３に示すようにカバー２のカバー周枠部２１が嵌合する箱本体１の周枠部１２の前方低段枠部１２ａに水切り溝１５を設けると共に、カバー２のカバー周枠部２１の下枠板部２１２の両側に排水孔２１２ａを設けている。これにより、カバー２のカバー周枠部２１と箱本体１の周枠部１２との間に雨水が浸入した場合には該雨水は水切り溝１５に導かれて排水孔２１２ａ、２１２ａから排水されて箱内に浸入することのないものである。なお、図示のように両排水孔２１２ａ、２１２ａの内側に水規制リブ２１２ｂ、２１２ｂを設けているので、雨水の量が多くても該水規制リブ２１２ｂ、２１２ｂが的確に雨水を排水孔２１２ａに導き効率の良い排水ができるので、排水孔２１２ａを小さくすることができ、該排水孔２１２ａから風により吹き上げられる雨水が箱内に浸入することが極めて少なくなる。
【００１３】
また、ねじ挿通孔２１ａは図１３〜図１８に示すようにカバー２のカバー周枠部２１の下枠板部２１２に形成した凹部２１２ｃに設け止めねじ３の頭部３１が該凹部２１２ｃに埋没するものとし、さらに、該凹部２１２ｃと繋がる凹部１２２ｃを箱本体１の下枠部１２２に形成して該凹部１２２ｃに桁状の封緘用係止部１２２ｄを設けてある。これにより封緘が必要とする場合には図１７に示すように針金状の封緘材１２４を止めねじ３の頭部３１に設けた封緘用孔３１ａと封緘用係止部１２２ｄとの間に結縛することによりねじ３の頭部３１及び封緘材１２４が凹部２１２ｃ及び凹部１２２ｃに収まって箱本体１、カバー２の下方から露出することがないので、人に引っ掛かったりすることもなく、美観にも優れたものとなる。
【００１４】
このように構成されたものは、建物の外壁面に取り付けて箱本体１内に建物の外壁面内に隠蔽配線を行った電線を引き出すための電線挿通孔を外壁面に開ける場合に、壁面の取付位置に箱本体１の取付板部１１を当接すれば、箱本体１の取付板部１１に透設した円形の配線孔１３、１３に設けたタブ１４、１４に配線孔１３の中心を印すための印用孔１４ａを設けてあるので、図３に示すように該印用孔１４ａから筆記具、ポンチ等（イ）で外壁面（ロ）に印を付ければ、円形の配線孔１３の中心が的確に付けることができるものである。この場合に、印用孔１４ａを箱本体１の背面側に窪ませたタブ本体１４０の中央に形成して該中央の背面が箱本体１の周枠部１２の背面と同一面と形成しておけば、該印用孔１４ａが建物の外壁面に直接当接するので筆記具等を傾斜させても印用孔１４ａに挿通させても外壁面に正確に円形の配線孔１３の中心を印すことができるので作業が容易なものとなる。
【００１５】
その後に、箱本体１を外壁面(ロ)から除いて印にホルソーの先端中心を当てて孔を開ければ、箱本体１の取付板部１１に透設した円形の配線孔１３と位置が合致する電線挿通孔（ハ）を図７に示すように外壁面（ロ）に開けることができるものである。そして、配線孔１３の中心を印すための印用孔１４ａを設けたタブ１４を取り外して、図５及び図６に示すようなブッシング５を用意して該ブッシング５を図７に示すように先ず外壁面（ロ）に開けた電線挿通孔（ハ）に電線挿通筒部５１を嵌合してフランジ部５２を外壁面(ロ)に透設してフランジ部５２と外壁面(ロ)の間にコーキング材(ニ)を埋め込み電線挿通孔（ハ）と外部との間を密封して外壁内に電線挿通孔（ハ）を介して雨水の浸入を的確に防止して建物を損傷する虞のないものである。
【００１６】
続いて、箱本体１を建物の外壁面(ロ)に取り付けてブッシング５の電線挿通筒部５１の前方部５１ａを配線孔１３に嵌合して前方部５１ａの周縁に設けた雄ネジ部５３にナット部材５４を螺合して箱本体１と外壁内とをブッシング５の電線挿通筒部５１により連通させる。そして、該電線挿通筒部５１を介して外壁面(ロ)内に隠蔽配線を行った電線(ホ)を箱内に引き出して箱本体１に取り付けた電力量計（へ）に配線すればよいものである。
【００１７】
この場合に、ブッシング５の電線挿通筒部５１の内面を図示のように前方側を前方に向けた傾斜拡大部５１ｂと形成しておけば電線(ホ)と電線挿通筒部５１の筒内面との間のコーキングを的確に傾斜拡大部５１ｂの基端において行うことができて、少ないコーキング材で箱内と外壁面(ロ)内とを密封して、箱内の空気が湿度を帯びても外壁面(ロ)内への流入を防止して建物を傷める虞のないものである。また、傾斜拡大部５１ｂは電線の入線をスムーズに行う案内面としての機能を発揮するものでもある。
【図面の簡単な説明】
【００１８】
【図１】本発明の実施形態を箱本体とカバーを分離して示す斜視図。
【図２】本発明の実施形態の箱本体の正面図。
【図３】本発明の実施形態のタブを示す拡大断面図。
【図４】本発明の実施形態をカバーを施蓋して示す斜視図。
【図５】本発明の実施形態を箱本体とカバーを分離してタブを取り除いてブッシングと示す斜視図。
【図６】ブッシングの断面図。
【図７】ブッシングの取付状態を示す断面図。
【図８】箱本体に電力量計を取り付けた状態を示す斜視図。
【図９】カバーを内側から見た状態の箱本体とカバーを分離して示す斜視図。
【図１０】カバーの排水孔と水規制リブを示す斜視図。
【図１１】水切り溝とカバーの関係を示すための断面図。
【図１２】水切り溝とカバーの関係を示すための端面図。
【図１３】箱本体とカバーの下方を示す斜視図。
【図１４】本発明の実施形態をカバーを施蓋して示す下方からの斜視図。
【図１５】本発明の実施形態を示す縦断面図。
【図１６】箱本体とカバーの下方を示す縦断面図。
【図１７】封緘状態を示す斜視図
【図１８】従来例を示す正面図。
【符号の説明】
【００１９】
１  箱本体
11  取付板部
13  配線孔
14  タブ
14a  印用孔
【図１】
2008017554.tif 000003
【図２】
2008017554.tif 000004
【図３】
2008017554.tif 000005
【図４】
2008017554.tif 000006
【図５】
2008017554.tif 000007
【図６】
2008017554.tif 000008
【図７】
2008017554.tif 000009
【図８】
2008017554.tif 000010
【図９】
2008017554.tif 000011
【図１０】
2008017554.tif 000012
【図１１】
2008017554.tif 000013
【図１２】
2008017554.tif 000014
【図１３】
2008017554.tif 000015
【図１４】
2008017554.tif 000016
【図１５】
2008017554.tif 000017
【図１６】
2008017554.tif 000018
【図１７】
2008017554.tif 000019
【図１８】
2008017554.tif 000020